(57)【要約】【課題】  食パンを連続してスライサーに送り込んで綺麗なスライス面のスライス食パンを得ること。【解決手段】  スライスすべき食パンを両端側から無端のサイドベルトコンベア７で挟んで連続して送ってスライスするスライサー１、及びスライサー１でスライスされた食パンを所定枚数ずつ分割して包装装置３０へ送る分割供給装置２０、及び分割供給装置２０を出たスライス食パンを袋詰めする包装装置３０を有している。スライサー１から出るスライス食パンの先頭が包装装置３０の包装サイクルに対し予め定めた設定範囲内のずれで検出されるようサイドベルトコンベア７の走行速度を調節することによって、スライス食パンがスライラー１の出口から連続して送り出されるようにスライサー１への食パンを連続送りとする。【選択図】              図１
2006240699.tif 000002
【特許請求の範囲】
【請求項１】
食パンをスライスするスライス工程、及び同スライス工程でスライスされた食パンが先頭から所定枚数ずつ送り出されるのを所定の包装サイクルで袋詰めする包装工程を有する食パンのスライス包装方法であって、前記スライスされた食パンの先頭が前記包装サイクルに対し予め定めた設定範囲内のずれで前記スライス工程から送り出されて来るように前記スライス工程における食パンの送り速度を調節して同スライス工程における食パンを連続切りとすることを特徴とする食パンのスライス包装方法。
【請求項２】
食パンをスライスするスライサー、及び同スライサーを出たスライス食パンが先頭から所定枚数ずつ送り出されるのを所定の包装サイクルで袋詰めする包装装置を有する食パンのスライス包装装置において、前記スライサーは連続して食パンが送り込まれてスライスする構成のスライサーであり、同スライサーの後に配設され同スライサーを出たスライス食パンの先頭を検知する検出装置、及び前記検出装置によるスライス食パンの先頭の検知が前記包装サイクルに対し予め定めた設定範囲内のずれで行われるように前記スライサーにおける食パンの送り速度を制御するスライス速度制御装置を有することを特徴とする食パンのスライス包装装置。
【請求項３】
スライスすべき食パンを横にして前記スライサーへ送る無端のベルトコンベアを設け、同ベルトコンベアの走行速度を前記スライス速度制御装置で調節することによって前記スライサーにおける食パンの送り速度を制御する構成としたことを特徴とする請求項２に記載の食パンのスライス包装装置。
【発明の詳細な説明】
【技術分野】
【０００１】
本発明は食パンを所定厚さにスライスして半斤、１斤、１斤半毎などの所定枚数毎に袋詰め包装する食パンのスライス包装方法及び装置に関する。
【背景技術】
【０００２】
食パンは普通、３斤の長さに焼き上げられた後、１斤当り４枚、６枚、８枚などの所定厚さにスライスされ、それを袋詰め包装する枚数ずつ分割して包装工程に送って個々に包装することが行なわれる。
このように食パンをスライスして所定枚数毎に包装する食パンのスライス包装においては、食パンのスライスは間欠的に行なわれる。
すなわち、食パンのスライス工程では、スライスされた食パンの包装工程にタイミングを合わせて食パンのスライスを行なう必要があるため、スライス食パンの包装を行なう包装機側の要求に応じてスライサーにおける食パンのスライスを間欠的に行なわせる。
【０００３】
例えば、スライスした３斤の食パンを１斤ずつ包装する包装機の場合は、３個の包装を包装機が行なう毎に３斤の長さの食パン１本をスライスするようにスライサーが作動される。
このように食パンをスライスするスライサーでは、スライス食パンを包装する包装機側がスライス食パンの供給を要求するまで、スライスする食パンの供給を停止し、スライスすべき食パンは、その間、スライサーの前に停止された状態で待機させられスライスは間欠に行なわれるのである。
【０００４】
包装工程における包装速度は包装装置の作動速度によって決まるが、焼き上がった食パンは食パン個々に寸法が少しずつ相違しているため、包装装置の包装個数に対応した個数の食パンを機械的にスライスして包装工程に送り込むと、送り込まれたスライス食パンの位置が少しずつずれて来て、そのスライス食パンを所定枚数ずつ分割して包装装置へ送り込む機構などとスライス食パンとの係合位置がうまく合致できないという事態が生じ、その送り込み機構と食パンとの衝突が生じてスライス食パンを歪めてしまったりして、その後の包装工程を円滑に行なえないなどの事態を生ずる。そのためスライサーへの食パンの送り込みをスライス食パンの包装機側の要求に合わせ食パン１本ずつ間欠的に行なうことが行なわれるのである。
【０００５】
このような理由でスライスが間欠的に行なわれる場合、スライサーの前で待機させられている食パンは、スライス開始の信号が来るとスライサーへの送りが急遽始動されスライスが行なわれるが、静止されていた食パンはスライサーへ急に送り込まれてスライスが高速で行なわれるため、スライス面が曲面状に曲がったりする問題が生じていた。
このように、スライサーによる食パンに対する従来のスライス動作には休止が入るため、その休止している時間の分だけスライス動作が高速で行われることとなって、綺麗なスライス面が得られない事態が生ずるという問題があった。
【０００６】
更に、スライスを間欠的に行なうと、スライスを中断している間に切断ブレードに付着した食パンの焦げ目がついた切り屑が、次にスライスする食パンのスライス面に付着して食パンのスライス面を汚したりするという問題も生じていた。
【発明の開示】
【発明が解決しようとする課題】
【０００７】
本発明は、従来の食パンのスライス包装技術が有していた前記問題点を解決し、スライサーにおけるスライスすべき食パンの送り込みに中断を入れずに切れ目なく連続した状態でスライサーに送り込むことによって、スライサーに連続した食パンのスライス動作を行なわせ、これによってスライサーにおける食パンのスライス動作をゆっくり静かに行なわせて綺麗なスライス面をもつ状態のスライス食パンを包装することができる食パンのスライス包装方法及び装置を提供することを課題としている。
【課題を解決するための手段】
【０００８】
前記した課題を解決するため本発明は、食パンをスライスするスライス工程、及び同スライス工程でスライスされた食パンが先頭から所定枚数ずつ送り出されるのを所定の包装サイクルで袋詰めする包装工程を有する食パンのスライス包装方法であって、前記スライスされた食パンの先頭が前記包装サイクルに対し予め定めた設定範囲内のずれで前記スライス工程から送り出されて来るように前記スライス工程における食パンの送り速度を調節して同スライス工程における食パンを連続切りとする食パンのスライス包装方法を提供する。
【０００９】
また、本発明は、食パンをスライスするスライサー、及び同スライサーを出たスライス食パンが先頭から所定枚数ずつ送り出されるのを所定の包装サイクルで袋詰めする包装装置を有する食パンのスライス包装装置において、前記スライサーは切れ目無く連続して食パンが送り込まれてスライスする構成のスライサーであり、同スライサーの後に配設され同スライサーを出たスライス食パンの先頭を検知する検出装置、及び前記検出装置によるスライス食パンの先頭を検知が前記包装サイクルに対し予め定めた設定範囲内のずれで行なわれるように前記スライサーにおける食パンの送り速度を制御するスライス速度制御装置を有する食パンのスライス包装装置を提供する。
【００１０】
本発明による食パンのスライス包装装置においては、スライスすべき食パンを横にして前記スライサーへ送る無端のベルトコンベアを設け、そのベルトコンベアの走行速度を前記スライス速度制御装置で調整することによって、前記スライサーにおける食パンの送り速度を制御する構成とすることができる。
【発明の効果】
【００１１】
本発明による食パンのスライス包装方法においては、スライス食パンが先頭から所定枚数ずつ包装工程に送り出されて包装されるサイクル、すなわち、包装工程における所定の包装サイクル、に対し予め定めた設定範囲内のずれでスライサーからスライスされた食パンの先頭が送り出されるようにスライス工程における食パンの送り速度を調節するので、スライスされた食パンは個々の寸法に違いがあってもタイミング良く包装工程に送られて包装することができる。
【００１２】
また、スライス工程における食パンを連続送りとして、包装機においてスライス食パン１本を包装するのに要する全時間をスライサーにおける食パンの切断に当てて食パンをスライスすることができるので、スライス工程で食パンはスライサーに対し切れ目の無い連続送りとされて食パンの送り速度は小さくなる。このように、食パンは間欠切断よりも低速でゆっくりスライスされることになるため、スライスされた食パンのスライス面は綺麗な平面を得ることができる。
【００１３】
本発明における食パンのスライス包装装置によれば、スライサーの後に配設され同スライサーを出たスライス食パンの先頭を検知する検出装置と、その検出装置によるスライス食パンの先頭の検知が、包装装置におけるスライス食パンの包装サイクルに対し予め定めた設定範囲内のずれで行われるようにスライサーにおける食パンの送り速度を制御するスライス速度制御装置を有しているので、スライサーにおける食パンを連続送りしても、スライサーからは包装装置における包装サイクルに適合してスライス食パンの先頭が送り出されて来て、包装装置へのスライス食パンの送り出しを円滑に行なうことができるものとなり、前記した本発明による食パンのスライス包装方法を円滑に実施することができる。
【００１４】
本発明による食パンのスライス包装装置において、スライサーにおける食パンの送りを、横にされた食パンを無端のベルトコンベアで行なう構成とすることによって、食パンを切れ目無く連続して送ってスライスしながらも、スライスされた食パンの先頭が送られて来るサイクルを包装装置における包装サイクルに適合するようスライサーにおける食パンの連続送り速度を調節することができる。
【発明を実施するための最良の形態】
【００１５】
以下、図１〜図３を使って本発明の実施形態について具体的に説明する。図１、図２は本発明による食パンのスライス包装方法を実施するスライス食パンの包装装置の全体構成を示しており、図１、図２において、１は食パンをスライスするスライサーで複数本のブレード４を有していて、それら複数本のブレード４は食パンをスライスする厚さに対応して隣り合うもの同士が所定の間隔を保って上下２本のドラム２、３の間に張設されている。隣り合うブレード４の間の間隔は特開平６−３２８３８９号公報に示すような機構によってスライスする食パンのスライス厚さに応じて変更可能となっている。
【００１６】
スライスすべき食パンは通常、３斤の長さを有していて、底板５の上に横に倒した状態にして両端部をサイドベルトコンベア７によって挟まれて、図の矢印方向に前後のものの間に隙間が無く切れ目の無い状態で連続してスライサー１のブレード４へと送り込まれて、襷がけの状態で走行するブレード４によって所定の厚さにスライスされてスライス食パンとなる。
サイドベルトコンベア７は、それぞれ、２つのローラ６、６の間に掛け渡されて共に同速で走行されるよう構成されたエンドレスのベルトを有していて、前記したように底板５の上に載った食パンをスライサー１へ送り込む構成となっている。
【００１７】
２０はスライサー１を出たスライス食パンを、包装すべき所定枚数毎に分割して後記する包装装置３０へと送り出す分割供給装置である。この分割供給装置２０としては、例えば特開平６−２７８８５３号公報や特開２０００−２１９３１６公報に示されているように公知のものを適宜選択してよいので、その詳細な構造の説明は省略する。
スライサー１の出口と分割供給装置２０の間には受け渡し部１０が配置されており、受け渡し部１０では、スライサー１で連続してスライスされて連続して送り出されて来たスライス食パンを先頭のものから包装サイクルに対応させて所定のサイクルで分割供給装置２０へ円滑に送り出す働きをする。
【００１８】
受け渡し部１０は、スライサー１でスライスされてスライサー１から送り出されて来るスライス食パンを分割供給装置２０へ円滑に送り出す働きをするものであれば適宜の構成のものであってよく、一例として、スライサー１から連続して送り出されて来るスライス食パンの先頭のものを受けて１本ずつ分割供給装置２０へと送り込むようにしたスライドコンベアなどであってよい。
【００１９】
その受け渡し部１０には、スライサー１でスライスされてスライサー１から搬出されて来るスライス食パンが所定位置に到達したことを検知する光センサー１１が配置されている。光センサー１１によるスライス食パンの先頭の検出が、スライス食パンの包装サイクル、すなわち、包装装置３０における包装サイクルに対し予め定めた設定範囲内のずれで行なわれるように、スライサー１における食パンの連続送り速度、すなわち、サイドベルトコンベア７の走行速度、を制御するようにフィードバック制御される構成のベルト速度制御装置（図示していない）が設けられている。
【００２０】
前記したように、食パンは通常３斤の長さに焼き上げられるので、その１本の食パンをスライスした後、１斤ずつ分割して包装する場合は、包装装置における３個の包装に対して１本の食パンをスライスして送り出すことになり、また、スライス食パンを半斤ずつ包装する場合は６回の包装サイクルに対応して１本の食パンをスライスして分割供給装置２０へ１回送り出すことになる。
このように、包装装置(包装工程)における包装サイクルに対応させて食パンをスライスして送り出すことになる。
【００２１】
光センサー１１によるスライス食パンの先頭の検出が行なわれるべく設定される、スライス食パンの包装サイクルに対し予め定める設定範囲は、包装装置３０までのスライス食パンの送りが円滑に行なわれるようスライス食パンの送りのゆとり範囲であって、採用する包装設備毎に適宜設定されるもので、一例として、前記したスライス食パンの包装サイクルの９５〜１０５％、好ましくは９８〜１０４％程度に設定することができる。これによって、厚さなどの寸法が個々に異なる食パンが連続スライスされつつも、包装装置３０に対してタイミング良く送り込むことができる。
【００２２】
光電管などの光センサー１１によって、スライサー１を出たスライス食パンの先頭を検知する位置は、スライサー１の出口において先頭のスライス食パンが包装のために包装サイクルに合わせた一定サイクルで送り出される位置である。
こうして、包装装置３０における包装サイクルに適合可能なタイミングでスライサー１で連続切りしたスライス食パンを送り出し、個々の食パンの寸法に違いがあっても、包装装置３０に対してスライス食パンの送りがタイミング良く行なわれるようスライサー１における食パンの連続切りの送り速度の調節が行なわれる。
【００２３】
スライサー１の出口に設けられた受け渡し部１０におけるスライス食パンの送り出し態様について図３を用いて以下に説明する。
図３において、スライサー１からは連続切りのために連続して並べて送り込まれスライスされた食パンが、Ｂ１を先頭としてそのまま連続してＢ１，Ｂ２，Ｂ３…と並べられた状態のまま送り出されて来る。
スライサー１からこのように連続切りされて送り出されて来る食パン列の先頭の食パンＢ１は、スライサー１の出口部に配置された検出装置１１によって検知される。
【００２４】
スライサー１から連続切りされて図（１）のように送り出された先頭のスライス食パンＢ１は、やがて図（２）のように受け渡し部１０のコンベアなどに載せられて連続して並べられた食パンＢ２，Ｂ３，…から分離され包装装置３０における包装サイクルのタイミングに合わせて一定サイクルで分割供給装置２０へと送られる。
【００２５】
スライサー１からゆっくりと連続切りされて図（３）のように連続して並べて送り出されて来るスライス食パンＢ２，Ｂ３…はそのまま送り出しが続けられ、図（４）のように次の先頭のスライス食パンＢ２が検出装置１１で検出される。このスライス食パンＢ２の検出が、包装装置の包装サイクルに合わせて受け渡し部１０のコンベアなどによって送られる一定サイクルに対し予め定めた設定範囲内のずれでなされるようにスライサー１における食パンの連続送り速度がスライス速度制御装置によって調節される。
【００２６】
以上のようにして、包装装置３０における包装サイクルに適合可能なようにスライサー１における連続切りが個々の寸法が異なる食パンに対してゆっくりと行なわれてスライスされ、これによって、スライス面が平面で綺麗な状態にスライスすることが出来る。
【００２７】
分割供給装置２０から包装枚数毎に分割されて供給されたスライス食パンを受け取って袋詰めする包装装置３０は公知のものを適宜採用してよく、１例として特開平６−２８６７０４号公報や特開平６−４０４２８号公報に示されているものなどを採用することができる。
【００２８】
受け渡し部１０から包装装置３０までは、包装装置３０の包装サイクルに合わせた一定の速度で駆動されており、スライサー１における連続切りの速度を制御する基準とした受け渡し部１０における先頭のスライス食パンの送り出しサイクルは、受け渡し部１０から包装装置３０までにおける各部の作動サイクルと同じであり、どの部分における作動サイクルを採用してもよい。また、その包装サイクルを示す情報としては、特に制限はなく適宜の形の信号としてよい。
【００２９】
包装装置３０には例えば１斤ずつのスライス食パンが分割供給装置２０から送られて来て、選定された包装速度に対応して設定された一定サイクルで包装が行なわれるが、その一定の包装サイクルを基準とし、その一定の包装サイクルについて予め定められた設定範囲内のずれでスライサー１から出たスライス食パンの先頭の検出が行われるようスライサー１における食パンの送り速度を調整する。
こうして、個々に寸法の異なる食パンを連続してスライスして包装装置３０に対してタイミング良く供給することができることとなる。
【００３０】
以上、本発明を図示した実施の一形態に基づいて説明したが、本発明はこの実施の形態に何ら限定されることなく実施することができる。
例えば、上記した実施の形態では、スライサー１と包装装置３０との間に分割供給装置２０を設けているが、例えば、１斤の長さの食パンをスライスして１斤ずつ送って包装する場合などは、分割供給装置２０を設けることなくスライサー１からスライス食パンを包装装置３０へ送り込む構成とすることが可能であり、分割供給設置２０の設置は不可欠ではない。
【００３１】
また、上記した実施形態では、スライサー１に対する食パンの送り込みは、両側に配置されたサイドベルトコンベア７によって行う構成となっているが、底部に配置されたベルトコンベアによる搬送方式、或いは、上下に配置したベルトコンベアによってスライスすべき食パンを送り込む構成など適宜変更した構成としてもよい。
【図面の簡単な説明】
【００３２】
【図１】本発明の実施の一形態による食パンのスライス包装方法を説明するための食パンのスライス包装装置の構成を示す側面図。
【図２】図１に示した食パンのスライス包装装置の平面図。
【図３】図１，２に示すスライス包装装置のスライサーと受け渡し部１０におけるスライス食パンの送り出しの状況を（１）〜（４）に示した説明図。
【符号の説明】
【００３３】
１    スライサー
２    ドラム
３    ドラム
４    ブレード
５    底板
６    ローラ
７    サイドベルトコンベア
１０  受け渡し部
２０  分割供給装置
３０  包装装置
【図１】
2006240699.tif 000003
【図２】
2006240699.tif 000004
【図３】
2006240699.tif 000005